(57)【特許請求の範囲】
【請求項１】
石炭が供給される石炭投入口を一方の端部の上部に開口し、石炭が排出される石炭投下口を他方の端部の下部に開口した箱状のフレームと、
このフレームの内部の上方に配置され、前記石炭投入口から供給された石炭を搬送して、前記石炭投下口から石炭を排出するベルトコンベアと、
このベルトコンベアの下方に配置され、前記ベルトコンベアから落下して、前記フレームの底部に堆積した石炭を前記石炭投下口に向けて掻き出す清掃コンベアと、を備え、
前記清掃コンベアは、
互いに離間して配置された一組のスプロケットと、
これらのスプロケットを巻き掛けしたチェーンと、
従動側の前記スプロケットの中心軸を移動調整して、前記チェーンに適度な張りを付与する、対向配置された一対のテークアップ装置と、を有し、
前記チェーンは、当該チェーンが移動する方向と直交する方向に相反する向きに張り出し、前記フレームの底部を摺動する一つ以上のレーキアームを有し、
前記テークアップ装置は、
従動側の前記スプロケットの中心軸の端部を支持するテークアップブロックと、
一端部が前記フレームの内壁に固定され、他端部が従動側の前記スプロケットを越えて平行に延び、前記テークアップブロックを移動自在に保持する一組のレールと、
前記テークアップブロックとねじ結合する調整ねじの首部を回転自在に保持する共に、一組の前記レールの他方の端部を固定し、下端部が前記レーキアームの先端部に近接するように、略垂直状態に配置された帯板状の調整ねじブロックと、を有し、
前記調整ねじブロックの下端部は、前記フレームの底部に位置する前記チェーンの移動方向に向かって下り傾斜された傾斜面を有する給炭機。
【請求項２】
前記チェーンを二連に配置している請求項１記載の給炭機。
【請求項３】
前記調整ねじは、六角柱状の頭部を有する六角ボルトからなり、
前記調整ねじブロックは、前記調整ねじの頭部と前記調整ねじのねじ部に固定されたカラーに挟まれて、当該調整ねじを離脱困難に保持している請求項１又は２記載の給炭機。
【請求項４】
前記調整ねじブロックは、一組の前記レールの他方の端部に着脱自在に固定されている請求項１から３のいずれかに記載の給炭機。
【発明の詳細な説明】
【技術分野】
【０００１】
本発明は、給炭機に関する。特に、給炭機の内部に配置され、石炭を搬送する搬送用ベルトコンベアから落下した石炭を清掃する清掃コンベアの構造に関する。
【背景技術】
【０００２】
例えば、微粉炭を燃料とする火力発電所は、石炭を粉砕して微粉炭を製造するミル（微粉炭機）を備えている。又、ミルの直上には、給炭機を配置している。給炭機には、バンカに貯蔵された石炭がバケットコンベアなどで搬送されて、供給される。給炭機は、供給された石炭を搬送する搬送用ベルトコンベアを内部に備えている。搬送用ベルトコンベアは、計量装置を備えている。そして、搬送される石炭の量が計量されて、必要量の石炭がミルに投下されるように、搬送用ベルトコンベアの搬送速度が制御されている。
【０００３】
このような給炭機は、石炭を搬送する搬送用ベルトコンベアから落下した石炭を清掃する清掃コンベアを内部に設けている。そして、この清掃コンベアは、給炭機の底部に落下して堆積した石炭を掻き出して、ミルに投下することが知られている（例えば、特許文献１参照）。
【先行技術文献】
【特許文献】
【０００４】
【特許文献１】特開２００４−１０７０３３号公報
【発明の概要】
【発明が解決しようとする課題】
【０００５】
上述した清掃コンベアは、例えば、一組のスプロケットとこれらのスプロケットを巻き掛けするチェーンで構成されている。又、このチェーンは、チェーンが走行する方向と直交する方向に相反する向きに張り出した、一つ以上のレーキアーム（掻き出しアーム）を備えている。そして、チェーンの張り側が給炭機の底部を摺動すると共に、レーキアームが給炭機の底部を摺動することで、給炭機の底部に堆積した石炭を掻き出して（清掃して）いる。
【０００６】
しかしながら、レーキアームの先端部は、従動側のスプロケットを移動調整して、チェーンに適度な張りを付与するテークアップ装置（弛み取り装置）に近接して配置されている。このため、レーキアームが石炭を乗り上げて移動しようとすると、レーキアームがテークアップ装置を損傷することがあった。又、レーキアームが石炭を乗り上げて移動しようとすると、レーキアームの移動がテークアップ装置に阻止されて、清掃コンベアがトリップ（停止）することがあった。
【０００７】
レーキアームが石炭を乗り上げて移動しても、レーキアームがテークアップ装置を損傷しない清掃コンベアを備える給炭機が求められている。又、レーキアームが石炭を乗り上げて移動しても、清掃コンベアがトリップしない清掃コンベアを備える給炭機が求められている。そして、以上のことが本発明の課題といってよい。
【０００８】
本発明は、このような課題に鑑みてなされたものであり、レーキアームが石炭を乗り上げて移動しても、テークアップ装置に関与することなく、正常に稼動する清掃コンベアを備える給炭機を提供することを目的とする。
【課題を解決するための手段】
【０００９】
本発明者は、従動側のスプロケットを移動調整するテークアップ調整ねじが嵌合する、帯板状の調整ねじブロックにレーキアームの先端部が当接してもレーキアームが移動できるように、調整ねじブロックの下部に下り傾斜した斜面部を形成することでこれらの課題が解決できると考え、これに基づいて、以下のような新たな給炭機を発明するに至った。
【００１０】
（１）本発明による給炭機は、石炭が供給される石炭投入口を一方の端部の上部に開口し、石炭が排出される石炭投下口を他方の端部の下部に開口した箱状のフレームと、このフレームの内部の上方に配置され、前記石炭投入口から供給された石炭を搬送して、前記石炭投下口から石炭を排出するベルトコンベアと、このベルトコンベアの下方に配置され、前記ベルトコンベアから落下して、前記フレームの底部に堆積した石炭を前記石炭投下口に向けて掻き出す清掃コンベアと、を備え、前記清掃コンベアは、互いに離間して配置された一組のスプロケットと、これらのスプロケットを巻き掛けしたチェーンと、従動側の前記スプロケットの中心軸を移動調整して、前記チェーンに適度な張りを付与する、対向配置された一対のテークアップ装置と、を有し、前記チェーンは、当該チェーンが移動する方向と直交する方向に相反する向きに張り出し、前記フレームの底部を摺動する一つ以上のレーキアームを有し、前記テークアップ装置は、従動側の前記スプロケットの中心軸の端部を支持するテークアップブロックと、一端部が前記フレームの内壁に固定され、他端部が従動側の前記スプロケットを越えて平行に延び、前記テークアップブロックを移動自在に保持する一組のレールと、前記テークアップブロックとねじ結合する調整ねじの首部を回転自在に保持する共に、一組の前記レールの他方の端部を固定し、下端部が前記レーキアームの先端部に近接するように、略垂直状態に配置された帯板状の調整ねじブロックと、を有し、前記調整ねじブロックの下端部は、前記フレームの底部に位置する前記チェーンの移動方向に向かって下り傾斜された傾斜面を有する。
【００１１】
（２）前記チェーンを二連に配置してもよい。
【００１２】
（３）前記調整ねじは、六角柱状の頭部を有する六角ボルトからなり、前記調整ねじブロックは、前記調整ねじの頭部と前記調整ねじのねじ部に固定されたカラーに挟まれて、当該調整ねじを離脱困難に保持していることが好ましい。
【００１３】
（４）前記調整ねじブロックは、一組の前記レールの他方の端部に着脱自在に固定されていることが好ましい。
【発明の効果】
【００１４】
本発明による給炭機は、清掃コンベアがチェーンの移動方向に向かって下り傾斜された傾斜面を調整ねじブロックの下端部に有するので、レーキアームが石炭に乗り上げた場合であっても、乗り上げたレーキアームが傾斜面に案内されて移動できるので、清掃コンベアがトリップすることを防止できる。
【図面の簡単な説明】
【００１５】
【図１】本発明の一実施形態による給炭機の構成を示す縦断面図である。
【図２】前記実施形態による給炭機に備わる清掃コンベアのテークアップ装置を上面から観た平面図である。
【図３】前記実施形態による給炭機に備わる清掃コンベアのチェーンを上面から観た平面図である。
【図４】前記実施形態による給炭機に備わる清掃コンベアのテークアップ装置の要部を拡大した斜視図である。
【図５】前記実施形態による給炭機に備わる清掃コンベアのチェーンを従動側のスプロケットから観た斜視図である。
【図６】前記実施形態による給炭機に備わる清掃コンベアのテークアップ装置の要部を拡大した斜視図であり、図４と異なる方向からテークアップ装置を観ている。
【発明を実施するための形態】
【００１６】
以下、図面を参照して本発明を実施するための形態を説明する。
［給炭機の構成］
最初に、本発明の一実施形態による給炭機の構成を説明する。図１は、本発明の一実施形態による給炭機の構成を示す縦断面図である。図２は、前記実施形態による給炭機に備わる清掃コンベアのテークアップ装置を上面から観た平面図である。
【００１７】
（全体構成）
図１を参照すると、本発明の一実施形態による給炭機１０は、箱状のフレーム１ｆ、ベルトコンベア２、及び清掃コンベア３を備えている。フレーム１ｆは、石炭投入口１１を一方の端部の上部に開口している。又、フレーム１ｆは、石炭投下口１２を他方の端部の下部に開口している。更に、フレーム１ｆは、通常は蓋止されているが、内部を点検するための点検開口１３・１４を両端部に開口している。ベルトコンベア２は、フレーム１ｆの内部の上方に配置されている。清掃コンベア３は、ベルトコンベア２の下方に配置されている（図２参照）。
【００１８】
（ベルトコンベアの構成）
図１を参照すると、ベルトコンベア２は、互いに離間して配置された一組のローラ２１ｒ・２２ｒと、これらのローラ２１ｒ・２２ｒを巻き掛けした無端ベルト２１ｖで構成している。又、ベルトコンベア２は、弛み側の無端ベルト２１ｖに所定の張力を付与するテンションローラ２３ｒを設けている。従動側のローラ２１ｒには、無端ベルト２１ｖに適度な張りを付与するテークアップ装置２ｔを連結している。
【００１９】
図１を参照して、駆動側のローラ２２ｒを一方の方向に回転すると、無端ベルト２１ｖの張り側を石炭投入口１１から石炭投下口１２に向かって移動できる。そして、ベルトコンベア２は、石炭投入口１１に供給された石炭Ｃを搬送して、石炭投下口１２から石炭Ｃを排出できる。
【００２０】
図１を参照すると、無端ベルト２１ｖの張り側には、無端ベルト２１ｖの裏面に当接して転動する一組の計量スパンローラ２４ｒ・２５ｒを配置している。又、これらの計量スパンローラ２４ｒ・２５ｒの間には、無端ベルト２１ｖの裏面に当接して転動する計量ローラ２６ｒを配置している。そして、石炭投入口１１から石炭投下口１２に搬送する石炭Ｃの量を計量ローラ２６ｒで計量し、石炭投下口１２の直下に配置されたミル（図示せず）に必要量の石炭Ｃが供給できるように、例えば、駆動側のローラ２２ｒの回転速度（停止を含む）が制御される。
【００２１】
なお、図１を参照すると、フレーム１ｆは、無端ベルト２１ｖで搬送される石炭Ｃの有無を検出するパドルスイッチ２１ｓを内部に配置している。又、フレーム１ｆは、内部を照明する複数の照明灯２７を設けている。
【００２２】
（清掃コンベアの構成）
次に、実施形態による給炭機に備わる清掃コンベアの構成を説明する。図３は、前記実施形態による給炭機に備わる清掃コンベアのチェーンを上面から観た平面図である。図４は、前記実施形態による給炭機に備わる清掃コンベアのテークアップ装置の要部を拡大した斜視図である。
【００２３】
図５は、前記実施形態による給炭機に備わる清掃コンベアのチェーンを従動側のスプロケットから観た斜視図である。図６は、前記実施形態による給炭機に備わる清掃コンベアのテークアップ装置の要部を拡大した斜視図であり、図４と異なる方向からテークアップ装置を観ている。
【００２４】
図１から図３を参照すると、清掃コンベア３は、一組のスプロケット３１ｓ・３２ｓ、チェーン３１ｃ、及び対向配置された一対のテークアップ装置３ｔ・３ｔを備えている。一組のスプロケット３１ｓ・３２ｓは、互いに離間して配置されている。チェーン３１ｃは、これらのスプロケットを巻き掛けしている。テークアップ装置３ｔは、従動側のスプロケット３１ｓの中心軸３ｓｈを移動調整して、チェーン３１ｃに適度な張りを付与することができる。図２を参照すると、清掃コンベア３は、チェーン３１ｃを二連に構成しているが、チェーン３１ｃは一つであるものとして、以下、説明する。
【００２５】
（チェーンの構成）
図１又は図３を参照すると、チェーン３１ｃは、多数のリンク３ｒをピンで連結し、多数のリンク３ｒを無端状に連鎖している。チェーン３１ｃは、チェーン３１ｃが移動する方向と直交する方向に、相反する向きに張り出した一つ以上のレーキアーム３ｒａを有している。つまり、一部のリンク３ｒは、レーキアーム３ｒａを備えている。そして、レーキアーム３ｒａは、フレーム１ｆの底部１ｂを摺動できる（図１又は図５参照）。
【００２６】
図１を参照して、駆動側のスプロケット３２ｓを他方の方向に回転すると、チェーン３１ｃの張り側を石炭投下口１２に向かって移動できる。そして、レーキアーム３ｒａは、ベルトコンベア２から落下して、フレーム１ｆの底部１ｂに堆積した石炭Ｃを石炭投下口１２に向けて掻き出すことができる（図５参照）。
【００２７】
（テークアップ装置の構成）
図１又は図２及び図４を参照すると、テークアップ装置３ｔは、テークアップブロック３１、一組のレール３２・３３、調整ねじ３４、及び帯板状の調整ねじブロック３５を備えている。テークアップブロック３１は、従動側のスプロケット３１ｓの中心軸３ｓｈの端部を支持している。なお、中心軸３ｓｈは、スプロケット３１ｓと一体に連結した回転軸３ｒｓと回転自在に連結している。
【００２８】
図１又は図２及び図４を参照すると、一組のレール３２・３３は、それらの一端部がフレーム１ｆの内壁１ｓに固定されている。又、一組のレール３２・３３は、それらの他端部が従動側のスプロケット３１ｓを越えて平行に延びている。そして、一組のレール３２・３３は、テークアップブロック３１を移動自在に保持している。
【００２９】
図１又は図２及び図４を参照すると、調整ねじ３４は、そのねじ部の先端側がテークアップブロック３１とねじ結合している（図２参照）。調整ねじブロック３５は、一組のレール３２・３３の他方の端部に固定されている。又、調整ねじブロック３５は、その下端部がレーキアーム３ｒａの先端部に近接するように、略垂直状態に配置されている（図４又は図６参照）。
【００３０】
図１又は図２を参照すると、調整ねじ３４は、六角柱状の頭部３４ｈを有する六角ボルトからなっている。そして、調整ねじブロック３５は、調整ねじ３４の頭部３４ｈと調整ねじ３４のねじ部に固定されたカラー３４ｃに挟まれて、調整ねじ３４を離脱困難に保持している。つまり、調整ねじブロック３５は、調整ねじ３４の首部を回転自在に保持している。
【００３１】
図１又は図２を参照して、調整ねじ３４の頭部３４ｈを一方の方向に回転すると、スプロケット３２ｓに対してスプロケット３１ｓを遠ざけることができ、チェーン３１ｃを張ることができる。一方、調整ねじ３４の頭部３４ｈを他方の方向に回転すると、スプロケット３２ｓに対してスプロケット３１ｓを近づけることができ、チェーン３１ｃを弛緩できる。
【００３２】
なお、図４又は図６を参照すると、調整ねじ３４には、六角柱状の固定ナット３４ｎを螺合している。そして、固定ナット３４ｎを回転して、テークアップブロック３１を押圧することで、一組のレール３２・３３に対して、テークアップブロック３１を固定できる（図１参照）。このように、テークアップ装置３ｔは、チェーン３１ｃに適度な張りを付与することができる。
【００３３】
図４又は図６を参照すると、調整ねじブロック３５の下端部は、フレーム１ｆの底部１ｂに位置するチェーン３１ｃの移動方向に向かって下り傾斜された傾斜面３５ｓを有している。そして、レーキアーム３ｒａが石炭Ｃに乗り上げた場合であっても、乗り上げたレーキアーム３ｒａが傾斜面３５ｓに案内されて移動できる。
【００３４】
［給炭機の作用］
次に、実施形態による給炭機１０の動作を説明しながら、給炭機１０の作用及び効果を説明する。図１又は図４及び図６を参照して、給炭機１０の底部１ｂに堆積した石炭Ｃを掻き出すために、清掃コンベア３を駆動すると、レーキアーム３ｒａが石炭Ｃを乗り上げて移動することがある。
【００３５】
図４又は図６に示されるように、調整ねじブロック３５の下方で、レーキアーム３ｒａが石炭Ｃを乗り上げて移動すると、レーキアーム３ｒａの先端部が調整ねじブロック３５の下端部に当接するように移動してくる。この場合、石炭Ｃを乗り上げたレーキアーム３ｒａが傾斜面３５ｓに案内されて移動できるので、清掃コンベア３がトリップすることを防止できる。
【００３６】
このように、実施形態による給炭機１０は、清掃コンベア３がチェーン３１ｃの移動方向に向かって下り傾斜された傾斜面３５ｓを調整ねじブロック３５の下端部に有するので、レーキアーム３ｒａが石炭Ｃに乗り上げた場合であっても、乗り上げたレーキアーム３ｒａが傾斜面３５ｓに案内されて移動できるので、清掃コンベア３がトリップすることを防止できる。
【００３７】
又、図４又は図６を参照すると、実施形態による給炭機１０は、調整ねじブロック３５が一組のレール３２・３３の他方の端部にボルト３５ｂで着脱自在に固定されているので、調整ねじブロック３５の取り付け、又は取り外しが容易である。
【符号の説明】
【００３８】
１ｂ  フレームの底部
１ｆ  フレーム
１ｓ  フレームの内壁
２  ベルトコンベア
３  清掃コンベア
３ｒａ  レーキアーム
３ｓｈ  中心軸
３ｔ  テークアップ装置
１０  給炭機
１１  石炭投入口
１２  石炭投下口
３１  テークアップブロック
３１ｃ  チェーン
３１ｓ・３２ｓ  一組のスプロケット
３２・３３  一組のレール
３４  調整ねじ
３５  調整ねじブロック
３５ｓ  傾斜面
Ｃ  石炭
【図１】
0005468636.tif 000002
【図２】
0005468636.tif 000003
【図３】
0005468636.tif 000004
【図４】
0005468636.tif 000005
【図５】
0005468636.tif 000006
【図６】
0005468636.tif 000007